(57)【要約】【課題】付加情報を隠しておくことにより邪魔になることがなく、必要な場合に付加情報を表示することができる表示体を提供する。【解決手段】表示体１は、第１表示部１５を有する固定部材１０と、固定部材１０に対して収容位置と突出位置との間で相対的に移動可能に設けられた可動部材２０と、を備え、可動部材２０は、少なくとも収容位置において固定部材１０から露出している第２表示部２１と、収容位置においては固定部材１０により隠蔽され、突出位置においては固定部材１０から露出する第３表示部２２と、少なくとも使用状態において固定部材１０から当該可動部材２０の引き抜けを防止する引き抜け防止部２３とを備える。【選択図】図１
2020194137.tif 000002
【特許請求の範囲】
【請求項１】
第１表示部を有する固定部材と、
前記固定部材に対して収容位置と突出位置との間で相対的に移動可能に設けられた可動部材と、
を備え、
前記可動部材は、
少なくとも前記収容位置において前記固定部材から露出している第２表示部と、
前記収容位置においては前記固定部材により隠蔽され、前記突出位置においては前記固定部材から露出する第３表示部と、
少なくとも使用状態において前記固定部材から当該可動部材の引き抜けを防止する引き抜け防止部と、
を備える表示体。
【請求項２】
請求項１に記載の表示体において、
前記可動部材は、シート状又は板状に構成されており、
前記固定部材は、
前記可動部材より前面側に配置された前面部と、
前記可動部材より背面側に配置された背面部と、
前記前面部と前記背面部との間に設けられ前記前面部と前記背面部との間に前記可動部材が移動可能な隙間を設けるスペーサー部と、
を有すること、
を特徴とする表示体。
【請求項３】
請求項２に記載の表示体において、
前記固定部材は、シート状又は板状の素材を折り曲げて構成されており、
前記スペーサー部は、前記前面部と前記背面部との間に前記固定部材を形成する素材が少なくとも１枚配置されることにより構成されていること、
を特徴とする表示体。
【請求項４】
請求項２又は請求項３に記載の表示体において、
前記スペーサー部は、前記前面部と前記背面部との間に前記可動部材の厚さよりも大きい隙間を設けること、
を特徴とする表示体。
【発明の詳細な説明】
【技術分野】
【０００１】
本発明は、各種表示を行う表示体に関するものである。
【背景技術】
【０００２】
従来から、新商品の販売促進を目的として、店頭における顧客の商品購入の動機付けに、ＰＯＰ（購買時点）広告等が印刷された表示体が利用されている。
例えば、特許文献１には、商品に関する付加情報を表示するキャッチポップが開示されている。
【０００３】
特許文献１のような表示体であれば、商品に関する付加情報を追加的に表示することができるが、より大きな表示が追加されることから、配置によっては商品の邪魔となってしまったり、情報過多となってかえって消費者が混乱したり注目されなかったりするおそれがあった。また、単に表示が追加されるだけでは、面白みがなく、消費者の興味を引く効果が限られており、より消費者に注目されやすい表示体が求められている。
【先行技術文献】
【特許文献】
【０００４】
【特許文献１】特開２００９−２１７２８７号公報
【発明の概要】
【発明が解決しようとする課題】
【０００５】
本発明の課題は、付加情報を隠しておくことにより邪魔になることがなく、必要な場合に付加情報を表示することができる表示体を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、第１表示部（１５）を有する固定部材（１０）と、前記固定部材（１０）に対して収容位置と突出位置との間で相対的に移動可能に設けられた可動部材（２０）と、を備え、前記可動部材（２０）は、少なくとも前記収容位置において前記固定部材（１０）から露出している第２表示部（２１）と、前記収容位置においては前記固定部材（１０）により隠蔽され、前記突出位置においては前記固定部材（１０）から露出する第３表示部（２２）と、少なくとも使用状態において前記固定部材（１０）から当該可動部材（２０）の引き抜けを防止する引き抜け防止部（２３）と、を備える表示体（１）である。
【０００８】
第２の発明は、第１の発明に記載の表示体（１）において、前記可動部材（２０）は、シート状又は板状に構成されており、前記固定部材（１０）は、前記可動部材（２０）より前面側に配置された前面部（１１）と、前記可動部材（２０）より背面側に配置された背面部（１２）と、前記前面部（１１）と前記背面部（１２）との間に設けられ前記前面部（１１）と前記背面部（１２）との間に前記可動部材（２０）が移動可能な隙間（Ｓ）を設けるスペーサー部（１３、１４）と、を有すること、を特徴とする表示体（１）である。
【０００９】
第３の発明は、第２の発明に記載の表示体（１）において、前記固定部材（１０）は、シート状又は板状の素材を折り曲げて構成されており、前記スペーサー部（１３、１４）は、前記前面部（１１）と前記背面部（１２）との間に前記固定部材（１０）を形成する素材が少なくとも１枚配置されることにより構成されていること、を特徴とする表示体（１）である。
【００１０】
第４の発明は、第２の発明又は第３の発明に記載の表示体（１）において、前記スペーサー部（１３、１４）は、前記前面部（１１）と前記背面部（１２）との間に前記可動部材（２０）の厚さよりも大きい隙間（Ｓ）を設けること、を特徴とする表示体（１）である。
【発明の効果】
【００１１】
本発明によれば、付加情報を隠しておくことにより邪魔になることがなく、必要な場合に付加情報を表示することができる表示体を提供することができる。
【図面の簡単な説明】
【００１２】
【図１】本発明による表示体１を示す斜視図である。
【図２】可動部材２０が収容位置にある表示体１を前面側から見た図である。
【図３】可動部材２０が突出位置にある表示体１を前面側から見た図である。
【図４】前面部１１の上端で切断した表示体１を前面側から見た図である。
【図５】表示体１の右端部付近を図２中の矢印Ａ−Ａの位置で切断した断面図である。
【発明を実施するための形態】
【００１３】
以下、本発明を実施するための最良の形態について図面等を参照して説明する。
【００１４】
（実施形態）
図１は、本発明による表示体１を示す斜視図である。
なお、図１を含め、以下に示す各図は、模式的に示した図であり、各部の大きさ、形状は、理解を容易にするために、適宜誇張又は省略して示している。
また、以下の説明では、具体的な形状、材料等を示して説明を行うが、これらは、適宜変更することができる。
本明細書において、板、シート等の言葉を使用しているが、これらは、一般的な使い方として、厚さの厚い順に、板、シートの順で使用されており、本明細書中でもそれに倣って使用している。しかし、このような使い分けには、技術的な意味は無いので、これらの文言は、適宜置き換えることができるものとする。
また、本明細書において、上、下、前、後、左、右といった方向を示す文言を説明の便宜上用いるが、これは、表示体１を通常想定される配置の仕方で設置した場合の鉛直方向の上下を上下方向とし、通常想定される使い方において前側となる方向を前として、図中に矢印で示した方向を示すものとする。よって、表示体１の使用形態をこれら上、下、前、後、左、右といった向きで限定するものではない。
【００１５】
本実施形態の表示体１は、固定部材１０と、可動部材２０とを備えており、例えば、図１に示すように商品陳列棚に設けられているプライスレールＰＬに差し込んで用いることができる。プライスレールＰＬは、透明な樹脂により形成されており、表示体を前後から挟み込むことによりこれを保持可能である。
【００１６】
固定部材１０は、一枚の厚紙を折り曲げ及び張り合わせることにより構成されている。固定部材１０の構造については、後述するが、内部に可動部材２０が移動可能な空間（隙間Ｓ）が設けられている。
固定部材１０には、その前面部１１に、第１表示部１５が設けられている。第１表示部１５には、例えば、商品名等を表示するとよい。図示した例では、第１表示部１５には、「洗浄力が大幅ＵＰ！  〇×液体洗剤」と商品名とともに商品のセールスポイント（商品の特徴）が印刷されている。
【００１７】
可動部材２０は、固定部材１０の内部の隙間Ｓにあって、固定部材１０に対して収容位置と突出位置との間で相対的に移動可能に設けられている。本実施形態の可動部材２０は、固定部材１０と同じ厚さの厚紙により構成されている。
図２は、可動部材２０が収容位置にある表示体１を前面側から見た図である。
図１及び図２に示すように、可動部材２０は、収容位置にあるときには、上端側の一部分のみが固定部材１０から露出している。この収容位置において固定部材から露出している部分には、第２表示部２１が設けられている。第２表示部２１には、例えば、可動部材２０を消費者が引き出すことを誘導する表示が行われるとよい。図示した例では、第２表示部２１には、「洗浄力ＵＰの秘密は  ここ」との文言と、下を指すイラストが印刷されている。なお、より積極的に、「ここを引き上げてください」等と表示してもよい。
【００１８】
図３は、可動部材２０が突出位置にある表示体１を前面側から見た図である。
可動部材２０を上方に引っ張り出した図３に示す突出位置にすると、収容位置においては固定部材１０により隠蔽されていた第３表示部２２が露出する。この第３表示部２２には、通常は隠しておきたい付加情報を表示するとよい。例えば、第３表示部２２には、商品に興味を持っていただいた消費者に対して商品のより詳しい説明等の表示が行われるとよい。図示した例では、第３表示部２２には、「〇×液体洗剤は、新たに・・・したことにより、洗浄力の大幅ＵＰに成功しました。」と、洗浄力向上の理由が詳しく印刷されている。
【００１９】
このように、消費者が可動部材２０を自ら引き出して第３表示部２２の情報を見ることができる構成としたことにより、付加情報が商品の邪魔になったり情報過多となったりすることなく、情報を必要とする消費者にはより詳しい付加情報を提示することができる。また、第３表示部２２が隠されていることから、商品棚を整然とした見た目にすることができる。
また、可動部材２０を引き出すという体験を消費者にしてもらうことによって、商品のアピールができ、消費者の印象にも残りやすい。
【００２０】
次に、表示体１の構造をより詳しく説明する。
図４は、前面部１１の上端で切断した表示体１を前面側から見た図である。
図５は、表示体１の右端部付近を図２中の矢印Ａ−Ａの位置で切断した断面図である。なお、図５は、断面形状のみを示している。
固定部材１０は、前面部１１と、背面部１２と、第１スペーサー部１３と、第２スペーサー部１４とを有している。
【００２１】
前面部１１は、可動部材２０より前面側に配置されており、固定部材１０の前面を構成している。上述したように、前面部１１には、第１表示部１５が設けられている。
【００２２】
背面部１２は、可動部材２０より背面側に配置されており、固定部材１０の背面を構成している。背面部１２は、前面部１１と上端側で繋がっており、この繋がる境界部分は折り曲げられている。また、前面部１１と背面部１２との境界部分（折り曲げ部分）には、可動部材２０が貫通するスリット部１６が設けられている。
【００２３】
第１スペーサー部１３は、背面部１２の左右両端を内側に折り曲げた形態で構成されている。第１スペーサー部１３の幅（左右方向の長さ）は、可動部材２０が傾いて移動しても引き抜け防止部２３（後述）が接触しない幅となっている。また、第１スペーサー部１３の前面側は、前面部１１の背面側（内面側）と接着剤又は両面テープによって接合されている。なお、図５では、第１スペーサー部１３と前面部１１との接合部分の接着剤又は両面テープの図示は省略している。
【００２４】
第２スペーサー部１４は、第１スペーサー部１３の内側端部を外側へ折り曲げた形態で構成されている。また、第２スペーサー部１４は、第１スペーサー部１３の幅（左右方向の長さ）の半分程度となっている。また、本実施形態では、第２スペーサー部１４は、単に折り曲げて配置しているだけであり、他部材への接合等は行っていない。これにより、第２スペーサー部１４が展開状態へ戻ろうとする若干の付勢力が期待でき、後述の隙間Ｓを拡大する効果が期待できる。また、接着工程が減るので、製造が容易であり、コスト削減にも寄与する。
【００２５】
本実施形態では、第１スペーサー部１３と第２スペーサー部１４とを設けたことにより、前面部１１と背面部１２との間に可動部材２０が移動可能な隙間Ｓを設けている。ここで、第１スペーサー部１３と第２スペーサー部１４とが重なって、２枚分の隙間Ｓが設けられることにより、可動部材２０の厚さよりも大きい隙間となり、可動部材２０が自重で下方に移動可能である。可動部材２０の第３表示部２２は、通常は隠しておくことが望ましいので、可動部材２０が自重で下方に移動可能とすることが望ましい。特に、表示体１をプライスレールＰＬに挿入して設置する場合には、プライスレールＰＬから厚さ方向で圧縮する付勢力が働く場合が多く、隙間Ｓが潰されるおそれがある。そのような場合であっても、第２スペーサー部１４を設けたことによって、隙間Ｓが可動部材２０の厚さよりも大きい隙間となっており、可動部材２０がスムーズに移動可能となる。なお、利用用途によっては、例えば、第２スペーサー部１４を設けずに、可動部材２０の厚さと同等の隙間Ｓとして、可動部材２０が自重で移動しない構成としてもよい。
【００２６】
また、第２表示部２１及び第３表示部２２の左右方向の幅は、スリット部１６の左右方向の長さよりも狭く構成されている。さらに、第２表示部２１の左右方向の幅と第３表示部２２の左右方向の幅は、同一であって、両者の間に段差がない。これらにより、可動部材２０は、スリット部１６をスムーズに移動することができる。
可動部材２０は、下端側の左右両側に突出した引き抜け防止部２３を有している。引き抜け防止部２３を設けることにより、可動部材２０の下端部は、スリット部１６の長さよりも幅（左右方向の両端間の長さ）が長くなっており、可動部材２０を引き上げたときに固定部材１０から可動部材２０が上方へ引き抜けてしまうことを防止する。
【００２７】
固定部材１０の下端部については、開口部となっている。したがって、可動部材２０は、固定部材１０の下方から容易に抜き差し可能である。これにより、必要に応じて表示内容の異なる可動部材２０に交換することも容易であり、また、付加表示が必要ない場合には、簡単に可動部材２０の除去も可能である。なお、本実施形態では、表示体１は、プライスレールＰＬに挿入して用いることを想定しているので、使用状態においては、開口部がプライスレールＰＬによって実質的に閉鎖された状態となるので、可動部材２０が固定部材１０から下方へ脱落してしまうことはない。
【００２８】
以上説明したように、本実施形態によれば、表示体１は、付加情報を隠しておくことにより邪魔になることがなく、必要な場合に付加情報を表示することができる。
【００２９】
（変形形態）
以上説明した実施形態に限定されることなく、種々の変形や変更が可能であって、それらも本発明の範囲内である。
【００３０】
（１）実施形態において、固定部材１０の下端部を開口部とした例を挙げて説明した。これに限らず、例えば、固定部材１０の下端部を塞ぐ構成として、プライスレールＰＬの有無に関わらずに、可動部材２０が固定部材１０から下方へ脱落することを防止してもよい。このような構成とすることにより、表示体を壁面や商品等に直接貼り付けて利用することが可能となる。
【００３１】
（２）実施形態において、固定部材１０と可動部材２０の双方を同一素材の厚紙により構成した例を挙げて説明した。これに限らず、例えば、一方、又は、双方を樹脂シートや樹脂板により構成してもよいし、金属素材や木材等、他の素材を用いてもよい。また、固定部材１０と可動部材２０の素材を異なる素材としてもよいし、厚さも異なるようにしてもよい。
【００３２】
（３）実施形態において、可動部材２０は、直進移動を行う例を挙げて説明した。これに限らず、例えば、可動部材は、回転移動する構成としてもよいし、回転移動と直進移動とを組み合わせた軌跡で移動する構成としてもよい。
【００３３】
（４）実施形態において、表示体１の前面側に第１表示部１５、第２表示部２１、第３表示部２２を設けた例を挙げて説明した。これに限らず、例えば、表示体の背面側にも表示部を設けてもよい。その場合、表裏を適宜選択することにより、より多くの表示形態を実現することができる。
【００３４】
（５）実施形態において例示した表示体の前後の具体的な構成は、その一部、又は、すべてが前後逆の構成であってもよい。
【００３５】
（６）実施形態において、固定部材１０の左右両端を折り曲げることによってスペーサー部１３、１４を構成した例を挙げて説明した。これに限らず、例えば、固定部材の前面部又は背面部の下端部の一部、好ましくは、下端部の両端側付近を折り曲げてスペーサー部を構成してもよい。
【００３６】
なお、実施形態及び変形形態は、適宜組み合わせて用いることもできるが、詳細な説明は省略する。また、本発明は以上説明した各実施形態によって限定されることはない。
【符号の説明】
【００３７】
１      表示体
１０    固定部材
１１    前面部
１２    背面部
１３    第１スペーサー部
１４    第２スペーサー部
１５    第１表示部
１６    スリット部
２０    可動部材
２１    第２表示部
２２    第３表示部
２３    引き抜け防止部
【図１】
2020194137.tif 000003
【図２】
2020194137.tif 000004
【図３】
2020194137.tif 000005
【図４】
2020194137.tif 000006
【図５】
2020194137.tif 000007